(57)【要約】【課題】点滴スタンド用連結具を移動用器具の後部と側部に位置移動ができ、かつ取り付け容易な小型の点滴スタンド用連結具及び連結用補助具を提供することを目的とする。【解決手段】点滴スタンドＤの支柱Ｄ１に着脱自由に接続される第１クランプ３と、車椅子ＷのハンドルＷ１に着脱自由に接続可能な第２クランプ６と、第１クランプ３が一端側に、第２クランプ６が他端側に保持される連結棒１と、を備えた点滴スタンド用連結具１００であって、第２クランプは、自由方向に回動する球体４２と、１軸に回転回動する１軸回転体４５からなる第２回転部４を介して連結棒に回転可能に保持されており、第１クランプが点滴スタンドに接続され、第２クランプが車椅子Ｗに接続された状態で、点滴スタンドが第２回転部４により回転可能である。【選択図】  図１
2020093074.tif 000002
【特許請求の範囲】
【請求項１】
点滴スタンドに着脱自由に接続される第１クランプと、
移動用器具に着脱自由に接続可能な第２クランプと、
前記第１クランプが一端側に、前記第２クランプが他端側に保持される連結棒と、
を備えた点滴スタンド用連結具であって、
前記第２クランプは、自由方向に回動する球体と、１軸に回転回動する１軸回転体からなる第２回転部を介して前記連結棒に回転可能に保持されており、
前記第１クランプが前記点滴スタンドに接続され、前記第２クランプが前記移動用器具に接続された状態で、前記点滴スタンドが前記第２回転部により回転可能であることを特徴とする点滴スタンド用連結具。
【請求項２】
前記第１クランプは、自由方向に回動する球体と、１軸に回転回動する１軸回転体からなる第１回転部を介して前記連結棒に保持されることを特徴とする請求項１に記載の点滴スタンド用連結具。
【請求項３】
前記第１回転部及び前記第２回転部は、
前記球体の自由回動と前記１軸回転体の１軸回転のロックとロック解除の切り替え操作を同時に行うロックツマミと、
を備えたことを特徴とする請求項２に記載の点滴スタンド用連結具。
【請求項４】
前記第２クランプは、取り付け角度を直角に変えるＬ型取付金具を介して前記第２回転部に取り付けられることを特徴とする請求項１乃至３の何れかに記載の点滴スタンド用連結具。
【請求項５】
前記第２クランプは、車椅子である前記移動用器具のハンドルに取り付けられることを特徴とする請求項４に記載の点滴スタンド用連結具。
【請求項６】
請求項１乃至４の何れかに記載の点滴スタンド用連結具を使って、前記点滴スタンドとストレッチャからなる前記移動用器具との連結を行う際に用いられること特徴とする連結用補助具。
【請求項７】
前記連結用補助具は、固定軸部と、前記固定軸部と直交する取付軸部と、からなることを特徴とする請求項６に記載の連結用補助具。
【発明の詳細な説明】
【技術分野】
【０００１】
本発明は点滴スタンド用連結具及び連結用補助具に関する。詳しくは、点滴スタンドを主として車椅子、他にリハビリ歩行器やストレッチャなどの移動用器具にも連結する点滴スタンド用連結具及び連結用補助具に関する。
【背景技術】
【０００２】
医療施設では点滴中の患者が車椅子で移動することがある。患者にキャスター付きの点滴スタンドを握らせて車椅子で移動すると事故が発生した時に責任の問題が発生する。また、車椅子を押す人が点滴スタンドを握ると、本来両手で車椅子を押さなければならないのに片手で車椅子を押すことになる。そこで、車椅子で移動するときは点滴スタンドを人が持たなくてもよいように、キャスター付きの点滴スタンドを移動用器具に連結する点滴スタンド用連結具が考えられる。
【０００３】
従来の点滴スタンド用連結具には、車椅子に対するキャスター付きの点滴スタンドの位置が前部、後部、側部と種々ある。特許文献１は前部の例であり、特許文献２は後部の例であり、特許文献３は側部の例である。
【０００４】
ところで、狭い廊下や人が多い場所や、狭い間口を移動するときは、点滴スタンドの位置が車椅子の前後にあった方がよい。また、奥行きが短いエレベータやトイレでは点滴スタンドの位置が車椅子の側部にあった方がよい。
【０００５】
しかしながら、特許文献１、２の点滴スタンド用連結具は車椅子の前後と側部あるいは後部と側部との位置移動ができない。特許文献３の点滴スタンド用連結具は柔軟なフレキシブルシャフトを曲げて点滴スタンド用連結具と車椅子の間隔を狭めることが段落番号００３２に記載されているが、点滴スタンド用連結具が車椅子の前後と側部あるいは後部と側部との位置移動をすることの記載がない。
【０００６】
これに対して、非特許文献１の点滴スタンド用連結具は、点滴スタンドを車椅子に対して回転移動させる回転部を設け、点滴スタンド用連結具が車椅子の後部と側部の位置移動をする。
【先行技術文献】
【特許文献】
【０００７】
【特許文献１】特開２０１６−４９２４４号公報
【特許文献２】特開２０１７−９４０４３号公報
【特許文献３】特許６１８６０３４号公報
【非特許文献】
【０００８】
【非特許文献１】プロメディカル株式会社ホームページ、三菱金属工業株式会社製カチャっと君every[２０１８年１１月２１日検索]インターネット〈http://www.promedi.co.jp/news/archives/1〉
【発明の概要】
【発明が解決しようとする課題】
【０００９】
しかしながら、非特許文献１の車椅子への取付方法は、回転部を支える長い支柱の両端を車椅子の上方のハンドルと、車椅子の下方の水平フレームに取り付けるものである。このために、点滴スタンド用連結具が大型となる。また、車椅子に取り付ける長い支柱が必要となることから、別の車椅子に取り付ける場合には、この支柱を取り外して別の車椅子取り付けるか、別の車椅子にもこの支柱を準備しておく必要があり、病院内での使い勝手が非常に悪い（なお、パンフレットには、利用者自身による別の車椅子への付け替えができない旨が記載されている）。
【００１０】
また、回転部は、円柱面を摺動する軸回転となっている。このため、その回転軸が床面に対して垂直でなければ、点滴スタンドが床面に沿ってなめらかに回転することができない。ところが、一般的な車椅子のハンドルは通常傾斜しているものが多く、また、ハンドルの傾斜角が規格等で統一されているわけではないため、ハンドルと下方の水平フレームとが平行とはならず、回転部の回転軸を垂直に取り付けることが容易ではなく、また取付用の支柱が複雑な構造となってしまう。
【００１１】
また、下方の水平フレームの位置や形状はさまざまであるので、下方の水平フレームの位置が合わなかったりして、ハンドルと下方の水平フレームに取り付けることができない車椅子がある。更に、車椅子によっては、この下方の水平フレームがないものもある。
【００１２】
また、点滴スタンド用連結具を点滴スタンド側に収納することができれば、他の車椅子やストレッチャなどに点滴スタンド用連結具を使用することが容易であるが、非特許文献１の点滴スタンド用連結具は点滴スタンド側に収納することができない。
【００１３】
そこで、本発明は、点滴スタンド用連結具を移動用器具の後部と側部に位置移動ができ、かつ取り付け容易な小型の点滴スタンド用連結具及び連結用補助具を提供することを目的とする。
【課題を解決するための手段】
【００１４】
上記目的を達成するため、本発明の点滴スタンド用連結具は、点滴スタンドに着脱自由に接続される第１クランプと、移動用器具に着脱自由に接続可能な第２クランプと、前記第１クランプが一端側に、前記第２クランプが他端側に保持される連結棒と、を備えた点滴スタンド用連結具であって、前記第２クランプは、自由方向に回動する球体と、１軸に回転回動する１軸回転体からなる第２回転部を介して前記連結棒に回転可能に保持されており、前記第１クランプが前記点滴スタンドに接続され、前記第２クランプが前記移動用器具に接続された状態で、前記点滴スタンドが前記第２回転部により回転可能であることを特徴とする。
【００１５】
これにより、第１クランプは、自由方向に回動する球体と、１軸に回転回動する１軸回転体からなる第２回転部により回転可能であるので、点滴スタンドを移動用器具の周りに移動可能である。例えば、狭い廊下では点滴スタンドを車椅子の後ろ側に移動させ、奥行きが短いエレベータでは点滴スタンドを車椅子の横側に移動させることが素早く容易にできる。また、第２回転部は、球体による自由回動と、１軸回転体による回転回動を行うことができるため、連結棒が傾斜していたとしても、点滴スタンドの位置を移動させる際、点滴スタンドの状態が安定している。
【００１６】
また、本発明の点滴スタンド用連結具は、前記第１クランプが、自由方向に回動する球体と、１軸に回転回動する１軸回転体からなる第１回転部を介して前記連結棒に保持されることを特徴とする。
【００１７】
これにより、第１クランプと第２クランプの高さや向きの変更が可能であるので、車椅子を含む多種の移動用器具に点滴スタンド用連結具を適用することができる。また、収納時、第２クランプを移動用器具から外し、連結棒を回転させて第２クランプを点滴スタンドに保持させることにより、連結具を点滴スタンドに収容することができる。また、例えば、病院内の傾斜している廊下を通過するような場合でも、第１回転部により、点滴スタンドの状態を傾斜に追随させることができ、点滴スタンドを安定させることができる。
【００１８】
また、本発明の点滴スタンド用連結具は、前記第１回転部及び前記第２回転部が、前記球体の自由回動と前記１軸回転体の１軸回転のロックとロック解除の切り替え操作を同時に行うロックツマミと、を備えたことを特徴とする。
【００１９】
第１クランプと第２クランプの高さや向きの変更を行う際に、ロックツマミの操作で第１回転部及び第２回転部の自由回動と１軸回転を、ロックしたり、ロック解除したりするので、取り付けや、移動用器具に対する点滴スタンドの位置移動操作が容易である。第１回転部及び第２回転部にそれぞれロックツマミがあるので、そのロックやロック解除の操作がし易く、患者の視野内でその操作ができる。
また、本発明の点滴スタンド用連結具は、前記第２クランプが、車椅子である前記移動用器具のハンドルに取り付けられることを特徴とする。
【００２０】
これにより、車椅子にはハンドルが備わっているので、使用者にとって取付位置がわかりやすく、複数の使用者間で取付位置を統一化した運用を行うことができる。また、例えば、第２回転部のロックツマミを操作する際に、患者を視野範囲に入れたままで操作を行うことができるので、注意しながら点滴スタンドの回転操作を行うことができる。
【００２１】
また、本発明の点滴スタンド用連結具は、前記第２クランプが、取り付け角度を直角に変えるＬ型取付金具を介して前記第２回転部に取り付けられることを特徴とする。
【００２２】
これにより、車椅子のハンドルの下にあるブレーキと第２クランプとの接触を簡単に回避できる。また、点滴スタンドを車椅子の側面や後方に回転移動させる時の主な回転動作を、第２回転部の１軸回転体による１軸回転によって行うことができ、主な回転動作を球体による自由回動により行う場合に比べ、使用者はスムーズに点滴スタンドの回転移動を行うことができる。なお、この点については、発明者による検証結果に基づくものである。
【００２３】
また、本発明の連結用補助具は、本発明の前記点滴スタンド用連結具を使って、前記点滴スタンドとストレッチャからなる前記移動用器具との連結を行う際に用いられること特徴とする。これにより、第２クランプでの接続が困難なストレッチャであっても、本発明の点滴スタンド用連結具を使って点滴スタンドとストレッチャとの連結を行うことがきる。なお、連結用補助具は、具体的には、もともとストレッチャに備わっている点滴スタンド取付部に固定して使用される。
【００２４】
また、本発明の連結用補助具は、固定軸部と、前記固定軸部と直交する取付軸部と、からなることを特徴とする。これにより、取付軸部をストレッチャの外側に向けておくことができるため、ストレッチャで運ばれる患者から点滴スタンド用連結部を離しておくことができる。
【図面の簡単な説明】
【００２５】
【図１】本発明の第１実施形態の外観の要部を示す正面図である。
【図２】図１の平面図である。
【図３】図１の右側面図である。
【図４】Ａは第１回転部のロックツマミを通る断面図であり、ＢはＡと直角の断面図である。
【図５】点滴スタンド用連結具の第１クランプが車椅子のハンドルに連結された状態での、第２クランプの回転を示す正面図である。
【図６】Ａは不使用時の点滴スタンド用連結具が点滴スタンドに収容されている状態を示す撮像であり、ＢはＡの第１クランプが点滴スタンドから外されて車椅子に連結されている状態を示す撮像である。
【図７】Ａは点滴スタンドが車椅子の側面に近接した位置に移動された状態を示す撮像であり、Ｂは点滴スタンドが車椅子の側面の離間した位置に移動された状態を示す撮像である。
【図８】Ａは点滴スタンドが車椅子の後方の離間した位置に移動された状態を示す撮像であり、Ｂは点滴スタンドが車椅子の後方の接近した位置に移動された状態を示す撮像である。
【図９】第１クランプがリハビリ歩行器の支柱に連結された点滴スタンド用連結具の第２クランプの回転を示す平面図である。
【図１０】Ａは連結用補助具の正面図であり、Ｂはその平面図であり、Ｃはその右側面図である。
【図１１】Ａは連結前のストレッチャの撮像であり、Ｂ、Ｃは異なる方向から撮影した連結用補助具が固定されたストレッチャの撮像である。
【図１２】Ａ、Ｂ、Ｃは、それぞれ異なる方向から撮影した点滴スタンドと連結したストレッチャの撮像である。
【発明を実施するための形態】
【００２６】
以下、実施形態及び図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００２７】
［実施形態１］
図１〜図４を用いて、実施形態の点滴スタンド用連結具１００の要部の構成を説明する。図１は点滴スタンド用連結具１００の正面図である。図２はその平面図である。図３はその側面図である。図４Ａはロックツマミ２６を通る第１回転部の断面図であり、図４Ｂは図４Ａと直角な断面図である。なお、本実施形態の点滴スタンド用連結具１００は、キャスター付き点滴スタンドＤを移動用器具である車椅子Ｗに連結するものである。
【００２８】
図１、図２に示すように、点滴スタンド用連結具１００は、連結棒１と、連結棒１の一端側に順次取り付けられる第１回転部２、第１クランプ３と、連結棒１の他端側に順次取り付けられる第２回転部４、Ｌ型取付具５、第２クランプ６と、からなる。これらの構成部品の材料は主として表面加工されたアルミニウムやアクリルからなる。また、連結棒１は、直径が２４ｍｍ、長さが２５０ｍｍの棒である。
【００２９】
第１回転部２は、上下左右自由な方向に回動する球体２２と、１軸に回転回動する１軸回転体２５からなる。より具体的には、図４に示すように、第１回転部２は、パネル２１と、球体２２と、台座２３と、連結ネジ２４と、１軸回転体２５と、ロックツマミ２６と、抜け止めピン２７と、分力板２８と、からなる。
【００３０】
パネル２１は、図４において上方の半球部２１１と下方の円筒部２１２からなる。この半球部２１１は球体２２を、円筒部２１２は１軸回転体２５を収容する。パネル２１の半球部２１１の先端は、開口しており、球体２２の連結ボス２２１がここから露出している。
そして、球体２２の球面２２２が半球部２１１の内面２１１ａと接して自由方向の軸で摺動することで、球体２２が自由回動可能となる。
【００３１】
また、露出したボス２２１に台座２３が連結ネジ２４で固着されており、この連結ネジ２４の雄ネジ２４１が台座２３から露出することで、連結棒１との接続が行われている。
【００３２】
１軸回転体２５は、摺動部２５１と蓋部２５２からなる。この摺動部２５１は、パネル２１の円筒部２１２に収容されて円筒部２１２の内面２１２ａと接して上下に摺動可能となっており、また、１軸で３６０度、回転可能となっている。
【００３３】
また、摺動部２５１には凹の球面である押圧面２５３が形成されており、摺動部２５１が上方に摺動することにより、押圧面２５３が球体２２の球面２２２を上方に押圧するようになっている。また、摺動部２５１の下方には溝２５４が形成されており、パネル２１の円筒部２１２の側面の下方から差し込まれた抜け止めピン２７が溝２５４に嵌入することにより、１軸回転体２５がパネル２１から抜けないようになっている。
【００３４】
蓋部２５２は、パネル２１の円筒部２１２の下方を塞ぐとともに、中央に連結雌ネジ２５５が形成されている。そして、この連結雌ネジ２２５により第１クランプ３との接続が行われている。
【００３５】
ロックツマミ２６は、雄ネジが形成されたシャフト２６１を備えている。このシャフト２６１の先端は、円錐面２６２になっている。そして、シャフト２６１の円錐面２６２は、パネル２１の円筒部２１２の側面に設けられた貫通雌ネジ２１３からパネル２１の内部に入る。そして、シャフト２６１との当接を避けるため、１軸回転体２５の摺動部２５１には、空部２５６が形成されており、この空部２５６の上方は傾斜する分力面２５７になっている。
そして、１軸回転体２５の分力面２５７とロックツマミ２６の円錐面２６２の間に、分力板２８が傾斜して配設されている。
【００３６】
このような構成により、図４Ａで、ロックツマミ２６の円錐面２６２がパネル２１内方向に螺入されると、分力板２８を介した分力によって、１軸回転体２５が上方に摺動することなる。この時、押圧面２５３によって球体２２が上方に押圧される。これにより、１軸回転体２５と球体２２とが、パネル２１の半球部２１１の内面２１１ａとロックツマミ２６のシャフト２６１で挟まれることとなり、球体２２の自由回動と１軸回転体２５の１軸回転がロックツマミ２６でロックされる。
【００３７】
このように、第１回転部２では、球体２２の自由回動と１軸回転体２５の１軸回転とが、１つのロックツマミ２６によって、ロックとロック解除の操作を行うことができる。
【００３８】
また、図４Ａに示すように、パネル２１の半球部２１１の先端は、球体２２の連結ボス２２１の寸法よりも大きめに開口している。このため、台座２３は、左右にθ１（約２５度）ずつ球体２２の回転軸を振らすことができる。
【００３９】
また、図１、図４Ｂに示すように、パネル２１の上部には連結ボス２２１の当接を避ける切欠きである溝２１４が形成されている。このため、台座２３は、左右にθ２（約９０度）ずつ球体２２の回転軸を振らすことができる。
【００４０】
なお、本実施形態の第１回転部２における自由方向に回動する球体２２は、所謂自由雲台（又は３Ｄ雲台など）と呼ばれたりする回転体と同様であり、１軸に回転回動する１軸回転体２５は、自由雲台における球体の回転とは別に横方向の回転軸を設けた回転体と同様である。
【００４１】
また、本実施形態において第２回転部４は、第１回転部２と同一形状の共通部品となっている。具体的には、第２回転部４は、自由方向に回動する球体４２と、１軸に回転回動する１軸回転体４５からなる。その他の具体的な構成は、第１回転部２と同様であることから、その説明を省略する。そして、第１回転部２の球体２２は、連結棒１の一端に固着されており、第２回転部４の球体４２は連結棒１の他端に固着された構成となっている。
【００４２】
次に、第１クランプ３は、フレーム３１と、第１握手３３と、第２握手３４と、掴みネジ３６とからなる。このフレーム３１は、第１回転部２の１軸回転体２５に固着される「コ」の字形状（Ｕ字に近い形状）となっている。また、第１握手３３と第２握手３４は、フレーム３１の対面を貫通する２本の第１軸３２によって回動自在に一端をそれぞれ軸支されている。また、掴みネジ３６は、第１握手３３の他端に第２軸３５で回動自在に軸支されている。
【００４３】
ここで、第１握手３３と第２握手３４とは、回動して点滴スタンドＤの垂直な支柱Ｄ１を挟んで掴むものであり、それぞれの挟む部分にはアクリルのＶ字状の当接部３７を備えている。なお、当接部３７は、合成樹脂のアクリルのように樹脂製のもので形成することで、点滴スタンドＤの支柱Ｄ１を傷付け難くなっている。
【００４４】
そして、第１握手３３と第２握手３４とで点滴スタンドＤの支柱Ｄ１を挟んだ状態で、第１握手３３に軸支された掴みネジ３６が、第２握手３４の切欠き溝３８に嵌入される。そして、第２握手３４に設けられたストッパ３９に当接する位置で、掴みネジ３６が螺入される。これにより、挟んだ状態の第１握手３３と第２握手３４の距離を掴みネジ３６が縮めて第１クランプ３を点滴スタンドＤに強固に固着させる。
【００４５】
なお、第１握手３３と第２握手３４が挟む寸法は、掴みネジ３６によって変更可能であるので、掴むパイプの直径が異なってもよい。また、２つのＶ字状の当接部３７で挟んで掴むので、掴むパイプの断面が必ずしも円形でなくてもよい。また、第１クランプ３の形状は、当然ながら本実施形態に限定されるものではなく、点滴スタンドＤの支柱Ｄ１に着脱自在に接続できる形状であれば、他の形状でも構わない。
【００４６】
また、本実施形態において第２クランプ６は、第１クランプ３と同一形状の共通部品となっており、具体的な構成についてはその説明を省略する。そして、第２クランプ６は、Ｌ型取付具５を介して第２回転部４と接続している。
【００４７】
このＬ型取付具５は、第２クランプ６の取り付け角度を直角に変えて第２回転部４に接続するためのものである。Ｌ型取付具５は、図１、図２に示すように、互いに直角の第１取付面５１と第２取付面５２を有するＬ字形であり、補強リブ５３を備えている。そして、この第１取付面５１は、第２回転部４の１軸回転体４５に固着されている。また、第２取付面５２は第２クランプ６のフレーム６１に固着されている。
【００４８】
このように、本実施形態の点滴スタンド用連結具１００は、長さが２５０ｍｍの連結棒１の一端に第１回転部２の上下左右に自由回動する球体２２を固着し、この連結棒１の他端に第２回転部４の上下左右に自由回動する球体４２を固着している。
【００４９】
また、点滴スタンド用連結具１００は、第１回転部２の１軸回転する１軸回転体２５に第１クランプ３を固着しており、また、第２回転部４の１軸回転する１軸回転体４５にＬ型取付具５の第１取付面５１を固着し、第１取付面５１と直角なＬ型取付具５の第２取付面５２に第２クランプ６のフレーム６１を固着している。
【００５０】
また、点滴スタンド用連結具１００では、第１回転部２と第２回転部４の自由回動と１軸回転とが、それぞれ１つのロックツマミ２６、４６によって、ロックとロック解除の操作を行うことができるようになっている。
【００５１】
このように、本実施形態の点滴スタンド用連結具１００は、小型で、多くの回転箇所を有しているので、様々な取り付けができ、操作部が少ないので操作が簡単である。
【００５２】
次に図５を用いて、点滴スタンドＤが、点滴スタンド用連結具１００によって車椅子Ｗに接続された場合の、点滴スタンドＤの移動について説明する。図５に示すように、第１クランプ３が点滴スタンドＤの支柱Ｄ１に取り付けられ、第２クランプ６が車椅子ＷのハンドルＷ１に取り付けられる。
【００５３】
まず、車椅子Ｗに対する点滴スタンドＤの位置を変えたいときがある。例えば、狭い廊下や間口の狭い通路では、点滴スタンドＤを車椅子Ｗの後方に移動させたい。また、奥行きの短いエレベータでは、点滴スタンドＤを車椅子Ｗの側面に移動させたい。また、病室や診察室では、その部屋に応じた位置に点滴スタンドＤを移動させたい。このような場合を想定すると、点滴スタンドＤは、車椅子Ｗに対してなるべく広い範囲で回転移動できることが好ましい。
【００５４】
本実施形態の点滴スタンド用連結具１００は、第２回転部４の球体４２による自由回動と１軸回転体４５による１軸回転のロックが解除された状態であれば、１軸回転体４５の１軸回転によって、第１クランプ３側が３６０度回転可能となる。従って、車椅子Ｗに対する点滴スタンドＤの位置を、車椅子Ｗの後方或は車椅子Ｗの側面等、自由に位置を変えることができる。
【００５５】
ところで、車椅子ＷのハンドルＷ１に取り付けた第２クランプ６の取り付け高さと、点滴スタンドＤの支柱Ｄ１へ取り付けた第１クランプ３の取り付け高さとがほぼ同じであれば、連結棒１は水平な状態であることから、上述のように１軸回転体４５の１軸回転のみで点滴スタンドＤ側を３６０度回転させることができる。
【００５６】
一方、車椅子のハンドルＷ１は、その多くが図５に示す傾斜角θ３のように傾いている（図５のハンドルＷ１の傾斜角θ３は、１０度を示している）。また、点滴スタンドＤの支柱Ｄ１への第１クランプ３の取り付け高さは、現場の使用者によってさまざまな位置が想定される。
【００５７】
このため、連結棒１は水平な状態とはならず、通常図５に示すように傾斜した状態となっている。この時、第２回転部４の１軸回転体４５の１軸回転だけでは、点滴スタンドＤの位置を変えた際に、点滴スタンドＤの状態が不安定になってしまう。
【００５８】
しかしながら、第２回転部４には球体４２による自由回転も備わっているので、連結棒１が傾斜していたとしても、図５に示すように点滴スタンドＤの位置を変えても点滴スタンドＤの状態が安定している。
【００５９】
また、点滴スタンド用連結具１００は、車椅子Ｗ側の第２回転部４だけでなく、点滴スタンドＤ側の第１回転部２も、自由方向に回動する球体２２と、１軸に回転回動する１軸回転体２５を備えている。従って、図５に示すように点滴スタンドＤの位置を変えても点滴スタンドＤがより一層安定している。また、病院内の廊下には途中で傾斜している場所があることもある。このような傾斜があったとしても、点滴スタンド用連結具１００の第１回転部２により、点滴スタンドＤの状態を傾斜に追随させることができ、点滴スタンドＤを安定させることができる。
【００６０】
このような構成の本実施形態の点滴スタンド用連結具１００は、第２回転部４のロックツマミ４６を操作して球体４２による自由回動と１軸回転体４５による１軸回転のロックを解除するのみで、点滴スタンドＤを車椅子Ｗに当たるまでの広範囲で、側面や後方に回転移動させることができる。
【００６１】
また、点滴スタンドＤを携えて車椅子Ｗが移動中のときは、第１回転部２、第２回転部４のロックツマミ２６、４６はいずれもロック状態であることが好ましい。これは、もしロックされていないと、移動中に点滴スタンドＤと車椅子Ｗの相対的な位置が変化して点滴漏れが発生する恐れがあるためである。特に、車椅子Ｗがカーブするときは相対的な位置が変化し易い。本実施形態の点滴スタンド用連結具１００は、１つのロックツマミ２６、４６の操作のみでロックとロック解除ができるので、点滴スタンドＤを携えた車椅子Ｗの移動に最適である。
【００６２】
なお、本実施形態においては、点滴スタンド用連結具１００の第２クランプ６が、車椅子ＷのハンドルＷ１に取り付けられる。第２クランプ６は、車椅子の他の部分に取り付けることも可能である。しかしながら、本発明者による検証によると第２クランプ６の車椅子Ｗへの取付位置は、車椅子ＷのハンドルＷ１が好ましい。
【００６３】
これは、どのような車椅子ＷであってもハンドルＷ１は備わっているので、使用者にとって取付位置がわかりやすく、複数の使用者間で取付を行う位置を統一できるからである。また、点滴スタンドＤが車椅子Ｗを押す人の傍に位置するため、点滴スタンドＤが突然傾いた場合等、不測の事態にも対応できる。また、ハンドル１に取り付けてあれば、点滴用のバックから伸びるチューブが邪魔になったり、チューブの長さが足りなかったりというようなことも生じ難い。また、ロックツマミ４６の操作の際に、患者を視野範囲に入れたままで操作を行うことができるので、注意しながら点滴スタンドＤの回転操作を行うことができる。
【００６４】
また、第２クランプ６を車椅子ＷのハンドルＷ１に取り付ける際には、第２クランプ６がハンドルＷ１の下に位置するブレーキと接触しないようにする必要がある。この点、点滴スタンド用連結具１００は、第２クランプ６が、第２クランプ６の取り付け角度を直角に変えるＬ型取付具５を介して第２回転部４と接続しているので、第２クランプ６とブレーキとが干渉しない。
【００６５】
また、第２クランプ６がＬ型取付具５を介して第２回転部４と接続する点滴スタンド用連結具１００は、図５のように用いた場合に、点滴スタンドＤを車椅子Ｗの側面や後方に回転移動させる時の主な回転動作は、第２回転部４の１軸回転体４５による１軸回転によって行われることになる。
【００６６】
一方、Ｌ型取付具５を用いない構成の点滴スタンド用連結具や、点滴スタンド用連結具１００を車椅子ＷのハンドルＷ１以外に取り付けた場合、点滴スタンドＤを車椅子Ｗの側面や後方に回転移動させる時の主な回転動作が、第２回転部４の球体４２による自由回動によって行われることがある。本発明者の様々な試作品による検証によると、本実施形態の点滴スタンド用連結具１００のように、点滴スタンドＤを車椅子Ｗの側面や後方に回転移動させる時の主な回転動作が、第２回転部４の１軸回転体４５による１軸回転によって行われた方が使用者にとって、スムーズに操作を行うことができ、非常に好評であることがわかった。したがって、第２クランプ６がＬ型取付具５を介して第２回転部４と接続する本実施形態である点滴スタンド用連結具１００の構成が好ましい。
【００６７】
次に、図６〜図８は本実施形態の点滴スタンド用連結具１００の実際の使用例を示す撮像である。図６Ａは不使用時の点滴スタンド用連結具１００が点滴スタンドＤに収容されている状態を示す撮像であり、図６Ｂは図６Ａの第１クランプ３が点滴スタンドＤから外されて車椅子Ｗに連結されている状態を示す撮像である。
【００６８】
図６Ａに示すように、点滴スタンド用連結具１００は、第１回転部２、第２回転部４の１軸回転と自由回動により、不使用時に第１クランプ３を点滴スタンドＤから外すことなく、点滴スタンドＤに収容しておくことができる。従って、使用者は、点滴スタンド用連結具１００の使用時に点滴スタンドＤへの接続と車椅子Ｗへの接続という二つの動作を行う必要がない。つまり、図６Ｂのように使用するときは、第１クランプ３は点滴スタンドＤに付いたままであるので、点滴スタンドＤへの取り付け動作が不要となる。
【００６９】
また、第１回転部２、第２回転部４は、自由回転と１軸回転がともに１つのロックツマミ２６、４６でロックとロック解除の操作ができるので、点滴スタンド用連結具１００の収容や装着が簡単である。
【００７０】
図７Ａ、図７Ｂ、図８Ａ、図８Ｂは点滴スタンドＤが車椅子Ｗの側面から後方へと徐々に回転移動されることを示す撮像である。このように広範囲で点滴スタンドＤが移動できるので、点滴スタンド用連結具１００は、種々の状況に対応することができる。また、ハンドルＷ１近傍のロックツマミ４６の操作は、容易であり、目線の変化が少ないので安全性が高い。
【００７１】
上述の実施形態の点滴スタンド用連結具１００の使用例は、移動用器具の一つである車椅子Ｗへの連結であったが、本実施形態の点滴スタンド用連結具１００はこの使用方法に限定するものではない。連結棒１の両端に自由回動と１軸回転をする第１回転部２、第２回転部４を備えているので多種の移動用器具に適用することが可能である。
【００７２】
例えば、リハビリ歩行器の支柱Ｒ１への連結であってもよい。図９はこの使用例を示す平面図であり、第１クランプ３が点滴スタンドＤの支柱Ｄ１に連結され、第２クランプ６がリハビリ歩行器の支柱Ｒ１に連結される。このような、垂直な２本の支柱Ｄ１、Ｒ１間の連結であっても、第２回転部４のロックツマミ４６のロック解除することで、第１クランプ３は、回転可能な角度θ５（θ５は、θ２×２＝１８０度）の範囲で移動可能である。これにより、点滴スタンドＤをリハビリ歩行器の側面から前後、あるいは前後から側面へ回転移動させることが可能となる。
【００７３】
なお、図９では、点滴スタンドＤの支柱Ｄ１と、リハビリ歩行器の支柱Ｒ１は、何れも垂直な支柱として示している。しかしながら、点滴スタンド用連結具１００であれば、リハビリ歩行器の支柱Ｒ１は垂直である必要はないので、リハビリ歩行器の他の支柱に点滴スタンド用連結具１００を連結しても構わない。また、支柱Ｄ１と支柱Ｒ１とを点滴スタンド用連結具１００で連結した際、点滴スタンド用連結具１００の連結棒１は、水平状態である必要はない。従って、点滴スタンド用連結具１００であれば、支柱Ｄ１と支柱Ｒ１のそれぞれの接続位置（高さ）を気にすることなく連結することができる。
また、本発明の点滴スタンド用連結具は、連結棒に伸縮機能を持たせることもできる。
【００７４】
［実施形態２］
次に点滴スタンド用連結具１００の使用例として、ストレッチャへの連結について説明する。ストレッチャへの連結の場合にも、点滴スタンド用連結具１００は、第１クランプ３が点滴スタンドＤの支柱Ｄ１に連結され、第２クランプ６がストレッチャ側に連結される。
【００７５】
ところで、ストレッチャにはそもそも点滴スタンド（ガートル架）が直接取り付けられるように所謂ガートル受けと呼ばれるような点滴スタンド取付部が設けられている。従って、ストレッチャに設けられている点滴スタンド取付部を使えば、わざわざ点滴スタンド用連結具１００を用いて点滴スタンドＤを連結する必要がないようにも思われる。
【００７６】
しかしながら、ストレッチャの点滴スタンド取付部を使って、ストレッチャに直接点滴スタンドを取り付けてしまうと、ストレッチャで移動後、ベッドに患者を移すような場合、ストレッチャから点滴スタンドを取り外して、新たに点滴スタンドを設置する必要がある。
【００７７】
また、近年の医療の高度化に伴い、点滴スタンドには単に点滴用パックが吊り下げられるだけでなく、輸液ポンプやシリンジポンプと呼ばれるような医療機器や、様々な情報を表示するモニタのような医療機器が取り付けられる。このような医療機器が取り付けられている点滴スタンドを、患者の頭の近くに取り付けてしまうと、患者が恐怖を感じたり、思わぬ事故が発生したりするおそれがある。
【００７８】
このような理由から、点滴スタンドのストレッチャへの直接の取付は、あまり行われていないのが現実であり、点滴スタンド用連結具１００を使用して点滴スタンドＤをストレッチャへ連結するメリットは非常に大きい。
【００７９】
そこで、本発明者はストレッチャ側の取付位置について検討を行った。しかしながら、ストレッチャ側に、実施形態１で説明した車椅子ＷのハンドルＷ１に該当するような支柱や、リハビリ歩行器の支柱Ｒ１に該当するような適切な取付位置があればよいが、本発明者がストレッチャ側の取付位置を探したところ、適切な取付位置のないストレッチャがあった。
【００８０】
例えば、古いタイプのストレッチャであれば、ストレッチャのマット（患者載置面）の下側にキャスタと連結する円筒状のフレームがあったりするので、そのフレームに取り付けることが可能である。一方、最近のストレッチャは、高機能化や強度等の理由から古いタイプにみられる円筒状のフレームが少なかったり、用いられていなかったりするストレッチャも多い。
【００８１】
そこで、本発明者は、ストレッチャ本体ではなく、ストレッチャに備わっている点滴スタンド取付部を利用することを考え、まず初めに点滴スタンド用連結具１００の連結用補助具として（何も取り付けていない状態の）点滴スタンドを点滴スタンド取付部に取り付け、その点滴スタンドからなる連結用補助具に点滴スタンド用連結具１００の第２クランプ６を連結することで、点滴スタンドＤとストレッチャとの連結を行った。
【００８２】
しかしながら、連結用補助具として用いる点滴スタンドは、通常の点滴スタンドよりも細くなっており、点滴スタンド用連結具１００の第２クランプ６を連結するとしっかり安定して連結することができなかった。また、当然ながら、連結用補助具としての点滴スタンドは、過剰に長いため、患者に圧迫感を与えてしまう。
【００８３】
そこで、本発明者は、次に点滴スタンド用連結具１００に専用の連結用補助具７０を用いて点滴スタンドＤとストレッチャとの連結を行った。この連結用補助具７０は、点滴スタンド用連結具１００を使って、点滴スタンドＤとストレッチャＳとの連結を行う際に用いるものであり、図１０にその構造を示す。図１０Ａは連結用補助具７０の正面図であり、図１０Ｂはその平面図であり、図１０Ｃはその右側面図である。
【００８４】
連結用補助具７０は、具体的には、図１０のようにＬ字状をしており、固定軸部７１と、この固定軸部７１の端部から直交するように伸びる取付軸部７５からなる。
【００８５】
固定軸部７１は、金属製の円柱状の部材であり、その先端側が４面にカットされ、４つの固定面７２が形成されている。この固定軸部７１は、具体例を後述するが、ストレッチャＳに設けられている点滴スタンド取付部に挿入され、ストレッチャＳの固定ネジと固定面７２により固定される。
【００８６】
取付軸部７５は、樹脂製の円柱状の部材であり、点滴スタンド用連結具１００の第２クランプ６が接続される。取付軸部７５は、第２クランプ６の抜け防止として端部にリブ７６が形成されている。
【００８７】
なお、より具体的には、本実施形態の連結用補助具７０は、固定軸部７１と取付軸部７５が中間部７７を介して一体化されたものとなっている。しかしながら、連結用補助具７０は、このような構成に限定されるものではなく、固定軸部７１と、この固定軸部７１と直交する取付軸部７５を備える構成であれば、他の構成を採用することができる。例えば、連結用補助具７０は、固定軸部７１の中間に直交する取付軸部７５が設けられている構成でもよい。
【００８８】
次に、この連結用補助具７０を用い、点滴スタンド用連結具１００による点滴スタンドＤとストレッチャＳとの連結について図１１、１２に示す実際の撮像により説明する。なお、図１１Ａは連結前のストレッチャＳの画像であり、図１１Ｂ、図１１Ｃは異なる方向から撮影した連結用補助具７０が固定されたストレッチャＳの画像である。また、図１２Ａ〜Ｃは、異なる方向から撮影した点滴スタンドＤと連結したストレッチャＳの画像である。
【００８９】
まず、図１１Ａに示すストレッチャＳに設けられている点滴スタンド取付部Ｓ１を利用する。この点滴スタンド取付部Ｓ１は、先に説明したように本来はストレッチャＳに点滴スタンド（ガートル架）を直接取り付けるために設けられているものである。また、この点滴スタンド取付部Ｓ１は、通常貫通孔で構成されている。なお、点滴スタンド取付部Ｓ１の位置や数は、ストレッチャＳにより異なる。
【００９０】
次に、図１１Ｂ、Ｃに示すように、このストレッチャＳの点滴スタンド取付部Ｓ１に連結用補助具７０の固定軸部７１を挿入し、ストレッチャＳの固定ネジＳ２を回して固定軸部７１の固定面７２と当接させることで、連結用補助具７０は固定される。
【００９１】
なお、図１１、１２に示す連結用補助具７０は、固定軸部７１と取付軸部７５とを連結する中間部７７にカバー７７ａを掛けている。このカバー７７ａは、実際の使用を想定し、中間部７７での接触による怪我や破損を防ぐために装着されている。
【００９２】
また、取付軸部７５がストレッチャＳの外側に向けて固定されている。取付軸部７５を外側に向けておくことで、ストレッチャＳで運ばれる患者から点滴スタンド用連結具１００を少しでも離すことができるが、このことは患者に対する恐怖感を緩和する上で重要である。
【００９３】
次に、図１２Ａ〜Ｃに示すように、連結用補助具７０の取付軸部７５に点滴スタンド用連結部１００の第２クランプ６を接続する。この時、第２クランプ６は取付軸部７５に対してどのように接続しても構わないが、図１２に示すように、第２クランプ６を上にして第２回転部４が下に位置するように接続すると、第２クランプ６の掴みネジの操作が容易である。また、ストレッチャＳから患者を載せたり降ろしたりする必要があることからストレッチャＳには患者載置面の昇降機構が備わっていが、このようなストレッチャＳの昇降動作に対しても、第１回転部２の球体２２の回動と第２回転部４の球体４２の回動によりスムーズに追従することが可能となる。
【００９４】
このように、点滴スタンドＤとストレッチャＳとの連結の際に、点滴スタンド用連結具１００とともに連結用補助具７０を用いることで、どのようなストレッチャであっても簡単に接続することでき、また点滴スタンドＤのスムーズな移動を実現させることができる。
【００９５】
また、本実施形態の連結用補助具７０のように、固定軸部７１から直交するように取付軸部７５が伸びる構成は、先に説明した実施形態１の車椅子ＷのハンドルＷ１と同じように取付軸部７５がほぼ水平な方向になることから、点滴スタンドＤをストレッチャＳの周りで回転移動させる際に、スムーズな動作となる。
【符号の説明】
【００９６】
１００：点滴スタンド用連結具
１：連結棒
１１：蓋
２：第１回転部
３：第１クランプ
４：第２回転部
５：Ｌ型取付具
６：第２クランプ
２２、４２：球体
２５、４５：１軸回転体
２６、４６：ロックツマミ
７０：連結用補助具
７１：固定軸部
７５：取付軸部
Ｄ：点滴スタンド
Ｄ１：支柱
Ｗ：車椅子
Ｗ１：ハンドル
Ｓ：ストレッチャ
【図１】
2020093074.tif 000003
【図２】
2020093074.tif 000004
【図３】
2020093074.tif 000005
【図４】
2020093074.tif 000006
【図５】
2020093074.tif 000007
【図６】
2020093074.tif 000008
【図７】
2020093074.tif 000009
【図８】
2020093074.tif 000010
【図９】
2020093074.tif 000011
【図１０】
2020093074.tif 000012
【図１１】
2020093074.tif 000013
【図１２】
2020093074.tif 000014